(57)【要約】      （修正有）【課題】溶液を容器の目盛りに合わせて計量する事が不要で、使用者が決定した容量を排出出来る容器を提供する。【解決手段】気液密容器の一部に必要な空気の容量を調節出来るピストン１を内蔵したシリダ２を設け、ピストン１を下げる事で必要とする量の空気を吐出させ、容器６内の液体に定量の空気圧を加え、一端が、容器内底部近傍に開口され、他端が容器の排出室５に開口したパイプ状通路３を経由して必要量の液体を排出する事を特徴とする容器６を構成した。これにより、使用者が必要な量の液体を容易に取り出す事が出来る。【選択図】  図１
2006021837.tif 000002
【特許請求の範囲】
【請求項１】
気液密容器の一部に必要な空気の容量を調節出来るピストンを内蔵したシリダを設け、ピストンを下げる事で所定の空気を吐出させ、容器内の液体に所定の空気圧を加え、一端が、容器内底部近傍に開口され、他端が容器の排出口に開口したパイプ状通路を経由して必要量の液体を排出する事を特徴とする容器。
【請求項２】
気液密容器の一部に必要な空気の容量を調節出来るピストンを内蔵したシリダを設け、ピストンを下げる事で所定の空気を吐出させ、容器内の液体に所定の空気圧を加え、一端が、容器内底部近傍に開口され、他端が容器の排出室に開口したパイプ状通路を経由して必要量の液体を排出する事を特徴とする容器。
【請求項３】
前記ピストンは、弾性体で付勢され、前期ピストンは下げる事によって所定の空気量を調節出来る事を特徴とする請求項１又は請求項２の容器。
【請求項４】
ピストンを内蔵した複数個のシリンダから構成される事を特徴とする請求項３の容器
【発明の詳細な説明】
【技術分野】
【０００１】本発明は、溶液を収納し、適量ずつ取り出して使用する為の容器に関する。
【背景技術】
【０００２】  従来、この種の容器としては、容器の上部に設けられた蛇腹式の手動ポンプを操作して、溶液を加圧させ、一端が容器内の一部に固定されたパイプの他端から溶液を吐出させるものである（例えば、特許文献１参照。図２参照）。
又容器の上部よりポンプ装置によって、溶液を定量排出する容器がある（例えば、特許文献２参照。）。
又、容器の蓋から容器下部垂設されたシリンダの上部に、溶液を吸い上げ、吸い込み弁と、吐出弁を利用して溶液を抽出するようにしたものが、広く使用されている。このタイプの容器には、噴射ヘッド部を手で直接押す液体石鹸などの容器と、スプレー時にレバーを指先で引き寄せて使用するトリガー式の容器がある。【０００３】
【特許文献１】  実公平６−１７７３６
【特許文献２】  特開平１０−１７５６５７
【発明の開示】
【発明が解決しようとする課題】
【０００４】以下従来の容器について説明する。特許文献１に開示されている容器は、内容物を計量出来ない。【０００５】  特許文献２に開示されている容器では溶液の排出口は、容器の上部のみである。溶液を注ぐ場合、取り出し口が上部だと排出時に容器の排出口を下方へ、転倒させなければならず、使いにくい。又溶液の計量は、排出用のカップに記された目盛りを見て操作する必要がある。容器に記された目盛りで溶液量を決定する場合、目盛りは、目線が水平になる必要があるので、容器を目の高さまで持ってくる必要がある。さらに必要量以上をカップに入れてしまうと戻すことが出来ない。【０００６】  現在広く使用されている、吸い込み弁と、吐出弁を利用して溶液を抽出するようにした容器は、ピストンで押した空気の量に対価する溶液量がシリンダ上部に溜まり、吐出する液体は、前回のピストン運動などですでに溜まっていた溶液が吐出する。つまり、使用時に、使用者が使用量を調節して取り出すことは出来ない。【０００７】  本発明は、このような従来の構造が有していた問題を解決しようとするものであり、溶液を必要な量だけ、簡単に取り出せる容器を実現する事を目的とするものである。
【課題を解決するための手段】
【０００８】  本発明は、上記目的を達成するために、気液密容器の一部に必要な空気の容量を調節出来るピストンを内蔵したシリダを設け、ピストンを下げる事で所定の空気を吐出させ、容器内の液体に所定の空気圧を加え、一端が、容器内底部近傍に開口され、他端が容器の排出口に開口したパイプ状通路を経由して必要量の液体を排出するようにしたものである。【０００９】  又、第二の解決手段は、気液密容器の一部に必要な空気の容量を調節出来るピストンを内蔵したシリダを設け、ピストンを下げる事で所定の空気を吐出させ、容器内の液体に所定の空気圧を加え、一端が、容器内底部近傍に開口され、他端が容器の排出室に開口したパイプ状通路を経由して必要量の液体を排出するようにしたものである。【００１０】  さらに、前記ピストンを弾性体で付勢し、前期ピストン下げる事によって所定の空気量を調節出来るようにした容器を提供する。【００１１】  又、ピストンを内蔵した複数個のシリンダから構成される事を特徴とする容器を提供する。
【発明の効果】
【００１２】  上述したように、使用者の必要とする量の液体を取り出す事が出来る。又排出部とピストンを操作しやすい位置に設定できるので、使いやすい構造の容器を提供出来る。
【発明を実施する為の最良の形態】
【００１３】  以下、本発明の実施の形態を図１に基づいて説明する。
【００１４】  図１は、本発明の実施例を示す断面図である。請求項２に係る発明では、容器本体（６）は上部側面に排出室（５）を有しており、排出すべき溶液を収納できるようになっている。
【００１５】  排出室は有底筒状で排出室の取り付け部（１２）の外側は、ねじが切られており、容器本体の取り付け部（１３）のねじに螺合され、これにより、密閉状態で排出室が取り付けられる。
【００１６】  容器本体（６）の上部で、排出室とバランスを取れる位置に固定したシリンダ（２）を設けピストン（１）の柄等、容器の一部に吐出溶液量を表示した目盛りを記録する。ピストンの柄を下げ定量の空気を容器内に押し出すと、空気圧は、一端が容器の底部近傍基と連結した吐出管（３）内の溶液を定量押し出し、定量溶液は吐出管（３）の他端から、吐出室（５）に流れ込む。請求項１に係る発明では、吐出間の他端から直接定量排出する。
【００１７】  容器内の溶液が少なくなった時など、定量排出が失敗した場合を想定し、吐出室にある溶液量を確認する必要がある場合は、吐出室（５）を溶液が見える素材で構成し溶液量を表示した目盛りを記録して、ピストンを調節して吐出室（５）の目盛りで溶液を定量してもよい。
【００１８】  吐出室（５）を側面に設定する場合、容器の対象性が損なわれ、置いた時の容器の安定性が危惧されないように、シリンダの位置や、容器の形を工夫し容器の重さのバランスを保つ。
【００１９】  請求項３に係る発明では、前記ピストン（１）を容易に押し上げる為にピストンを付勢する。ピストンを付勢する弾性体は、シリンダ内に収納されているスプリング（１０）でもよい。
【００２０】  ピストン（１）を定位置で固定する為の方法として、ノック式ボールペンのように、スプリングを溶液開放部を持つ筒に入れて筒の形でスプリングの止まる位置を決定してもよい。
【００２１】  あるいは、ピストンを操作しやすくする為にレバー（１１）を使用してもよい。保管時は、スプリング（１０）に付勢されたピストン（１）が上がり、シリンダ（２）内に空気が収納されている。使用時は、ピストン（１）の柄はレバー（１１）を押す事で下がり、レバーの位置を調節する事で排出する空気量を調節する。
【００２２】請求項２に係る発明では、溶液の充填は、排出室（５）をはずして、排出室取り付け部（１３）より行う。
【００２３】  保管時は、蓋（４）を閉じるが、使用時は、蓋（４）を開ける。
【００２４】    溶液を少量ずつ取り出す必要がある場合は、ゆっくりピストンを下げながら容器を傾け、排出口、又は排出室から溶液を少量ずつ取り出してもよい。
【００２５】  請求項４に係る発明では、溶液量を容器の一部に記入された目盛りで調節するのではなく、複数個のシリンダの一つを選択して、その一つを押す事により、必要な溶液量を排出する事を特徴とする。
【図面の簡単な説明】
【００２６】
【図１】  本発明の実施例を示す断面図である。
【図２】  特許文献１の一実施例を示す部分断面図である。
【符号の説明】
【００２７】  １  ピストン
２  シリンダ
３  吐出管
４  蓋
５  吐出室
６  容器本体
７  水面
８  空洞
９  取っ手
１０  スプリング
１１  レバー
１２  排出室の接合部
１３  容器の接合部
１４  加圧体
１５  液溜まり部
１６  吸入管
１７  排出管
１８  弁体
【図１】
2006021837.tif 000003
【図２】
2006021837.tif 000004